(57)【要約】【課題】外部エネルギ−を必要とせずに発電する。【解決手段】円盤の中に、中心から外側方向に可動できるように物質を均等に入れ、回転運動させる事によって遠心力を発生させ、その物質が外側に移動する力を利用して発電する。そうすれば円盤の総回転エネルギ−を損失させる事なく発電できる。【選択図】図４
2004340157.tif 000002
【特許請求の範囲】
【請求項１】
円盤の中に、中心から外側方向に可動できるように物質を均等に入れ、回転運動させる事によって遠心力を発生させ、その物質が外側に移動する力を利用してタ−ビンを回し、円盤の総回転エネルギ−を損失させる事なく発電する装置。
【請求項２】
上記発電装置において、回転が止まるかゆっくりになると、遠心力より重力の方が勝り、外側に移動していた物質が一方向だけに開く弁を通り、もとの内側の位置にもどる装置。
【請求項３】
上記発電装置を、重力又はばねやゼンマイの反発力により、回転及び停止を繰り返すことで発電させ、摩擦や空気抵抗等により損失したエネルギーは、円盤の遠心力により発電した電力の一部を利用する事で補充し、発電を継続させる装置。
【発明の詳細な説明】
【技術分野】
【０００１】遠心力と重力を利用した発電装置
【背景技術】
【０００２】従来、運動エネルギ−を減少させることなく発電する装置はなかった。
【発明の開示】
【発明が解決しようとする課題】
【０００３】回転エネルギ−をロスしないで発電する。
回転によって移動した円盤の内容物を元の位置に戻す。
発電円盤を回転と停止を繰り返らせながら動かす。
【課題を解決するための手段】
【０００４】回転エネルギ−をロスする事なく発電するには、円盤の中に、中心から外側に向かって放射線状に、徐々に移動できる物質をいれる。
この状態で円盤が回転すれば、遠心力によりこの物質は外側に徐々に移動する。
この力を利用してタ−ビンを回し、発電する。
このようにすれば、円盤の内容物は外側に移動するので、慣性モ−メントは増え回転数は減少するが、閉ざされた回転系内においての総回転エネルギ−は保たれたまま発電できる。
しかしこのままだと、物質が移動し尽せば発電が止まる。
そこで移動した物質をもとの位置に戻す必要がある。その為には重力を利用する。
円盤の回転がかなり遅くなるか止まることにより、遠心力より重力の方が勝り、遠心力によって移動していた物質がもとの位置にもどってくる様にする。その際問題な事は、エネルギ−をあまりロスする事なく円盤の回転と停止を繰り返させる必要がある。そこで回転エネルギ−を一反、位置エネルギ−（重力による）や反発エネルギ−（ばね、ゼンマイ等の）に変換し、再び回転エネルギ−に戻す。
これにより、総エネルギ−を保持したまま円盤の回転と停止を繰り返す事ができ、発電が続けられる。
【発明の効果】
【０００５】この発明では、ものが回転し続ける限り存在する遠心力や、物質が存在する限り存在する引力（重力）だけを利用して発電するので、それ以外の外部エネルギ−を補充する事なく発電できる。
つまり、２つの存在空間の差によって生じる、ポテンシャルエネルギ−の時間積を取り出す事に成功した。
【実施例】
【０００６】まず、発電円盤の発明の実施例について説明する。
中央がくびれた砂時計の様な形をした発電容器（図１）を円盤中心から外側に向かって放射線状に、（図４）の様に数個均等に取付ける。
そしてその容器の内側溜まり（５）に、内容物（４）（液体または小さな粒）をある程度入れる。
円盤が回転する事により遠心力が発生し、（図３）の様に、中央のくびれた部分を内容物が通過すると、水力発電と同様にタ−ビン（２）が回転し、発電機（１）により発電され、その電力は小型蓄電池（７）によって保存される。
この様にすれば、外部から円盤の回転エネルギ−に影響する物理的力を受けないので、円盤の総回転エネルギ−を保存したまま発電できる。
ただし、内容物が内側溜まりから外側溜まりに移動する事で、円盤の慣性モ−メントが増え、回転数は減る事となる。
次に、この方法だけであれば、内容物が外側溜まり（６）に移動した時点で発電は終了する。
そこで、外側溜まりに移動した内容物をもとの位置に戻す必要があり、２種類の実施例を発明した。
１つ目は、円盤は重力に対して垂直に回転するもので、発電円盤２つを軸でつないだヨ−ヨ−型（図５）をしており、放物線状のレ−ル（図７）の上を重力（ポテンシャルエネルギ−）を利用し、回転しながらころがり、反復する事で回転と停止を繰り返させる。
その際重要なことは、摩擦や風の抵抗等によって回転エネルギ−が損失してしまうので、実際にはａの位置から出発したヨ−ヨ−型発電機（１０）は、ｂの高さまでしか到達しない。
そこで、出発点ａの位置で初速度（ｂの位置から最高到達点ｃまで発電機が登ってくる以上）ｖ１を与える。
そうすると発電機（１０）は，最高到達点ｃをゆっくりしたスピ−ドで通過し、回転しながら最終点ｄの位置まで進む。
この時、最高到達点ｃから最終点ｄまでは緩やかな下り坂になっており、距離は、発電機が一回転できる程度必要で、この間はゆっくりと回転する。
そうすると、円盤内の全ての発電容器の上下が入れ代わる。
この間は遠心力より重力の方が勝っている為、（図１１）の様に外側溜まり（６）に移動している内容物は、内側だけに開く弁（３）を通り、元の内側溜まり（５）に戻ってくる。
一度戻った内容物は、弁（３）が閉じるので逆流しない。
また最終点に停止した時に、小型蓄電池（７）に蓄えられた電力は大型蓄電池（１２）に移る。
ここで最終点ｄは出発点ａとみなす事ができる。
そして先ほど充電した電力の一部を使い、加速装置（１１）によりヨ−ヨ−型発電機は加速され、上記動きを繰り返す。
これにより発電装置は動き続け、発電し続ける。
２つ目は、円盤が重力に対して水平に回転するものです。
具体的には（図６）の様に、発電容器は外側にいくほど高く、斜めになる様に取付けてある。
軸はベヤリングや磁力で浮かす（図８）などして、摩擦をできる限り小さくして固定する。
そしてこの水平円盤型発電機を回転させる為に、（図９）の様にばね（１３）を取付けるか、（図１０）の様にゼンマイ（１６）を取付けてもよい。
この状態で最初だけ外部力で円盤を回転させると、円盤は右回転、停止、左回転、停止を交互に繰り返す。
この様にすれば、回転が停止した時点で、外側溜まりに移動していた内容物は（図１２）の様に、一方向に開く弁（３）を通り、重力によって内側溜まりに戻ってくる。
ただし、このままでは徐々に摩擦等により回転力は減少してしまう。
そこで円盤内部にモ−タ−（１４）を取付け、変速ギア（１５）を通して円盤軸につなげる。
そして回転が停止した時に、蓄えられた電力の一部を使いモ−タ−軸を一瞬回転させることで、ばねｏｒゼンマイの巻力を強め、回転力を維持する。
この様にして発電を続ける。
【存在エネルギ−について】
【０００７】ものにはそれぞれ存在エネルギ−があります。
もしなければ引力により互いに引き合い、結果としてクオ−クの様な最小とされる粒子がくっついた状態（実際には物質は粒子ではなく、エネルギ−であり大きさはないと思うのだが）となりほとんど点となってしまいます。
例えば、重い重りを持ち上げた人がいたとすると、この人は重力で潰されないように必死で支えます。
同様に一見では分かりにくいのですが、パソコンを置いたテ−ブルでもそうですし、高いビルの土台部分やボ−リングのボ−ルの下の部分、もっと言えば真中の部分、上の部分、つまり、すべてのものには潰れないように反発するエネルギ−が働いているのです。
そしてこのエネルギ−は時間による積により、存在エネルギ−とみなす事ができます。
ここでこの存在エネルギ−を具体的に理解するには、振子時計を例に考えてみます。
もし仮に重力がなかったとすると、振子を動かすには、膨大な量のエネルギ−が必要となります。
と言うのは（図１３）の様に、振子をｈの位置から加速し、ｉの位置までくると反対方向に加速（減速）して、ｊの位置で止める。
これを数秒ごとに繰り返し、数年間動き続けさせなければいかないからです。
しかし実際には小さな電池１本で事足ります。
もし摩擦や抵抗がなければ、この小さな電池すら必要ないのです。
つまりこの膨大なエネルギ−は、一瞬の力によるものではなく、ポテンシャルエネルギ−の時間積によって賄われているのです。
この力を取り出す事ができれば世界は一変します。ちなみに発電装置をヨ−ヨ−型にしたり、発電容器の真中をくびれさすのは、ポテンシャルエネルギ−をより効率良く回転エネルギ−に変換する為です。
【実際には】
【０００８】もしエネルギ−のロスがないとすれば、ヨ−ヨ−型発電装置の場合、理論上回転による遠心力が、重力以上になると、内容物が外側に移動し始め、電力が徐々に蓄電される。
ばね又はゼンマイ式発電装置の場合は、傾けた角度によりますが、それ以下で発電します。
仮にタ−ビン部分までの円盤の半径が０．５メートルとすれば、重力加速度９．８メートル／秒を超えるには、円盤の同転速度が約０．７回転／秒以上必要となる。
これはヨ−ヨ−型発電機が，約０．１２メートル落下した時のエネルギ−値であり、放物線状のレ−ルの高さを高くすれば、その数十倍でも十分可能である。
同様にばね又はゼンマイ式発電装置においても、ばねやゼンマイの力を強くすれば、容易に０．７回転／秒を超えられる事は想像できます。
しかし実際には摩擦や抵抗等である程度ロスし、さらに物理的力を電力に変換し、蓄電したり、再び動力に戻す事でかなりのエネルギ−は失なわれます。そこで重要なのは、円盤に対する内容物の重さのバランス良くする。
回転による摩擦や抵抗を極力抑える。
発電、蓄電、動力に変換する効率を良くする。
そして何よりも回転速度を上げることです。
以上の事を考慮した結果、現在の技術をもってすれば、製作は十分可能であると考えられます。
【図面の簡単な説明】
【０００９】
【図１】発電容器
【図２】発電容器の断面図
【図３】発電容器に内容物を入れた断面図
【図４】円盤内に発電容器を取付けた図
【図５】ヨ−ヨ−型発電機の断面図
【図６】バネ又はゼンマイ式発電機の断面図
【図７】ヨ−ヨ−型発電装置の全体図
【図８】磁力による軸うけ図
【図９】バネ式発電装置の全体図
【図１０】ゼンマイ式発電装置の上面図
【図１１】ヨ−ヨ−型発電機における内容物の重力による移動図
【図１２】ばね又はゼンマイ式発電機における内容物の重力による移動図
【図１３】振子の運動図
【符号の説明】
【００１０】（１）発電機  （２）タ−ビン  （３）内側に開く弁
（４）内容物  （５）内側溜まり  （６）外側溜まり
（７）小型蓄電池  （８）発電容器  （９）軸受け
（１０）モ−タ−  （１１）加速装置  （１２）大型蓄電池
（１３）ばね  （１４）モ−タ−  （１５）変速ギア
（１６）ゼンマイ
（ａ）出発点  （ｂ）実際の停止位置  （ｃ）最高到達点
（ｄ）最終点  （ｈ）加速開始点  （ｉ）減速開始点
【図１】
2004340157.tif 000003
【図２】
2004340157.tif 000004
【図３】
2004340157.tif 000005
【図４】
2004340157.tif 000006
【図５】
2004340157.tif 000007
【図６】
2004340157.tif 000008
【図７】
2004340157.tif 000009
【図８】
2004340157.tif 000010
【図９】
2004340157.tif 000011
【図１０】
2004340157.tif 000012
【図１１】
2004340157.tif 000013
【図１２】
2004340157.tif 000014
【図１３】
2004340157.tif 000015